【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
Ｘ線イメージング装置であって、
Ｘ線ビームを供給するＸ線源装置と、
少なくとも１つのグレーティングと、
複数のセンサラインを有するライン検出器であって、前記複数のセンサラインの各々が、複数のセンサ素子によって提供され、前記センサラインが、動作中、少なくとも１つのグレーティングを通過するＸ線ビームの個々の部分を検出するために提供される、ライン検出器と、
を有し、
前記Ｘ線イメージング装置は、前記ライン検出器及びイメージングされる対象を互いに対して移動させるように構成され、前記Ｘ線ビームの部分に応答して、複数の干渉パターンが、前記対象の画像を再構成するために前記ライン検出器及び前記対象の個々の異なる相対位置において検出可能であり、
前記少なくとも１つのグレーティングは、前記ライン検出器の方向に対し垂直な方向において互いに隣り合って配される少なくとも１つの第１のセグメント及び少なくとも１つの第２のセグメントを有し、
前記Ｘ線イメージング装置は、前記ライン検出器及び前記少なくとも１つのグレーティングを、少なくとも第１の相対位置及び第２の相対位置の間で相対移動させるように構成され、前記第１の相対位置において、動作中、前記Ｘ線ビームの部分が、前記少なくとも１つの第１のセグメントを通過し、検出のために前記センサラインに到達し、その一方で、前記少なくとも１つの第２のセグメントは、前記Ｘ線ビームの前記部分の外側に配され、それにより、前記第２のセグメントは、隣り合う前記センサラインの間の領域に前記Ｘ線ビームを投射し、前記第２の相対位置において、動作中、前記Ｘ線ビームの部分が、前記少なくとも１つの第２のセグメントを通過し、検出のために前記センサラインに到達し、その一方で、前記少なくとも１つの第１のセグメントは、前記Ｘ線ビームの前記部分の外側に配され、それにより、前記第１のセグメントは、隣り合う前記センサラインの間の領域に前記Ｘ線ビームを投射する、Ｘ線イメージング装置。
【請求項２】
前記第１及び第２のセグメントの各々は、個々の伝達特性をもつグレーティング構造を有し、前記第１及び第２のセグメントは、個々のグレーティング構造に関して異なり、前記第１及び第２のセグメントは、個々の伝達特性に関して異なる、請求項１に記載のＸ線イメージング装置。
【請求項３】
前記第１のセグメントのグレーティング構造は、第１のグレーティングピッチを有し、前記第２のセグメントのグレーティング構造は、前記第１のグレーティングピッチと異なる第２のグレーティングピッチを有する、請求項２に記載のＸ線イメージング装置。
【請求項４】
前記第１のセグメントのグレーティング構造は、第１の方向を有し、前記第２のセグメントのグレーティング構造は、前記第１の方向と異なる第２の方向を有する、請求項２又は３に記載のＸ線イメージング装置。
【請求項５】
前記第１のセグメントのグレーティング構造は、第１のジオメトリを有し、前記第２のセグメントのグレーティング構造は、前記第１のジオメトリと異なる第２のジオメトリを有する、請求項２、３又は４に記載のＸ線イメージング装置。
【請求項６】
前記少なくとも１つのグレーティングが、フレームを有し、前記フレームが、少なくとも前記第１及び第２のセグメントを有する、請求項１乃至５のいずれか１項に記載のＸ線イメージング装置。
【請求項７】
前記少なくとも１つのグレーティングは、前記ライン検出器の方向に垂直な方向において前記第２のセグメントに隣り合って配される少なくとも１つの第３のセグメントを有し、
前記少なくとも１つの第３のセグメントは、個々のグレーティング構造及び個々の伝達特性に関して前記第１及び第２のセグメントと異なり、
前記Ｘ線イメージング装置は、前記ライン検出器及び前記少なくとも１つのグレーティングを、第３の相対位置に相対移動させるように構成され、前記第３の相対位置において、動作中、前記Ｘ線ビームの部分が、少なくとも１つの第３のセグメントを通過し、前記第１及び第２のセグメントが、前記Ｘ線ビームの前記部分の外側に配され、前記第１及び第２の相対位置において、前記少なくとも１つの第３のセグメントが、前記Ｘ線ビームの前記部分の外側に配される、請求項１乃至６のいずれか１項に記載のＸ線イメージング装置。
【請求項８】
前記Ｘ線イメージング装置が、Ｘ線微分位相コントラストイメージング装置であり、前記少なくとも１つのグレーティングが、位相グレーティングとして又は吸収体グレーティングとして提供される、請求項１乃至７のいずれか１項に記載のＸ線イメージング装置。
【請求項９】
前記少なくとも１つのグレーティングの２つが提供され、
前記２つのグレーティングのうち一方が、位相グレーティングであり、前記２つのグレーティングのうち他方が、前記位相グレーティングに対して前記Ｘ線ビームの下流に設けられる吸収体グレーティングであり、
前記位相グレーティングの第１のセグメントが、前記吸収体グレーティングの第１のセグメンと異なり、及び／又は、前記位相グレーティングの第２のセグメントが、前記吸収体グレーティングの第２のセグメントと異なる、請求項１乃至７のいずれか１項に記載のＸ線イメージング装置。
【請求項１０】
前記ライン検出器に対し前記少なくとも１つのグレーティングを移動させるように構成される変位ユニットを更に有する、請求項１乃至９のいずれか１項に記載のＸ線イメージング装置。
【請求項１１】
前記少なくとも１つのグレーティング及び前記ライン検出器が、可動ガントリに取り付けられ、
イメージングされる対象に対して前記可動ガントリを移動させるように構成されるガントリ変位ユニットが提供される、請求項１乃至１０のいずれか１項に記載のＸ線イメージング装置。
【請求項１２】
Ｘ線イメージングシステムであって、
請求項１乃至１１のいずれか１項に記載のＸ線イメージング装置と、
処理ユニットと、
イメージングされる対象を受けるための対象受容装置と、
を有し、
前記処理ユニットが、前記Ｘ線イメージング装置及び前記対象受容装置の互いに対する相対移動、及び／又は前記Ｘ線イメージング装置の前記少なくとも１つのグレーティング及び前記ライン検出器の互いに対する相対移動を制御する、Ｘ線イメージングシステム。
【請求項１３】
Ｘ線イメージング方法であって、
Ｘ線源装置により、イメージングされる対象にＸ線ビームを供給するステップと、
ライン検出器の方向に垂直な方向において互いに隣り合って配される第１のセグメント及び第２のセグメントを少なくとも有する少なくとも１つのグレーティングにより、干渉パターンを生成するステップと、
複数のセンサラインを有するライン検出器と、イメージングされる対象とを、相対的に移動させるステップであって、前記センサラインは各々が複数のセンサ素子によって提供され、前記センサラインは、動作中、少なくとも１つのグレーティングを通過するＸ線ビームの個々の部分を検出するために提供され、前記Ｘ線ビームの部分に応答して、複数の干渉パターンが、前記対象の画像を再構成するために前記ライン検出器及び前記対象の個々の異なる相対位置において検出される、ステップと、
少なくとも第１の相対位置及び第２の相対位置の間で前記ライン検出器及び前記少なくとも１つのグレーティングを相対的に移動させるステップであって、前記第１の相対位置において、動作中、前記Ｘ線ビームの部分が、少なくとも１つの第１のセグメントを通過し、検出のために前記センサラインに到達し、その一方で、前記少なくとも１つの第２のセグメントが、前記Ｘ線ビームの前記部分の外側に配され、それにより、前記第２のセグメントは、隣り合う前記センサラインの間の領域に前記Ｘ線ビームを投射し、前記第２の相対位置において、動作中、前記Ｘ線ビームの部分が、少なくとも１つの第２のセグメントを通過し、検出のために前記センサラインに到達し、その一方で、前記少なくとも１つの第１のセグメントが、前記Ｘ線ビームの前記部分の外側に配され、それにより、前記第１のセグメントは、隣り合う前記センサラインの間の領域に前記Ｘ線ビームを投射する、ステップと、
前記少なくとも１つのグレーティングを通過する前記Ｘ線ビームの部分を検出するステップと、
を有する、Ｘ線イメージング方法。
【請求項１４】
請求項１乃至１１のいずれか１項に記載のＸ線イメージング装置又は請求項１２に記載のＸ線イメージングシステムを制御するコンピュータプログラムであって、処理ユニットによって実行される場合に請求項１３に記載のＸ線イメージング方法の各ステップを実行するように適応される、コンピュータプログラム。
【請求項１５】
請求項１４に記載のコンピュータプログラムを記憶したコンピュータ可読媒体。